(57)【要約】【課題】パーフォレーションを確実に検知することができるカメラを提供する。【解決手段】パーフォレーション１００ａが穿設されたロール状の写真フイルム１００が装填されパーフォレーション１００ａを検知することにより給送量を認識しながら写真フイルム１００の給送を行ない、写真フイルム１００上に写真撮影を行なうカメラにおいて、写真フイルム１００の給送時にパーフォレーション１００ａが通過する位置に設けられた凹部３６と、凹部３６の底面に配備されパーフォレーション１００ａを検知する反射型フォトセンサ３７とを備え、凹部３６の、写真フイルム１００との接触部を面取りして、凹部３６の深部３６ｂと比べ相対的に太径の浅部３６ａを形成した。【選択図】        図５
2004294830.tif 000002
【特許請求の範囲】
【請求項１】
パーフォレーションが穿設されたロール状の写真フイルムが装填され該パーフォレーションを検知することにより給送量を認識しながら該写真フイルムの給送を行ない、該写真フイルム上に写真撮影を行なうカメラにおいて、
前記写真フイルム給送時にパーフォレーションが通過する位置に設けられた凹部と、投光部および受光部のうちの少なくとも一方が該凹部内部に配備され該パーフォレーションを検知するフォトセンサとを備え、
前記凹部が、前記写真フイルムとの接触部が面取りされるとともに該凹部の深部と比べ相対的に太径の浅部を有するものであることを特徴とするカメラ。
【請求項２】
パーフォレーションが穿設されたロール状の写真フイルムが装填され該パーフォレーションを検知することにより給送量を認識しながら該写真フイルムの給送を行ない、該写真フイルム上に写真撮影を行なうカメラにおいて、
前記写真フイルム給送時にパーフォレーションが通過する位置に設けられた凹部と、
投光部および受光部のうちの少なくとも一方が該凹部内部に配備され該パーフォレーションを検知するフォトセンサと、
前記凹部を塞ぐとともに前記フォトセンサの光を透過する蓋とを備えたことを特徴とするカメラ。
【発明の詳細な説明】
【０００１】
【発明の属する技術分野】
本発明は、パーフォレーションが穿設されたロール状の写真フイルム上に写真撮影を行なうカメラに関する。
【０００２】
【従来の技術】
３５ミリロールフイルムに代表されるロール状の写真フイルムには、所定の間隔でパーフォレーションが窄設されている。このようなパーフォレーションが穿設されたロール状の写真フイルム上に写真撮影を行なうカメラにおいて、パーフォレーションを反射型フォトセンサで検知することにより給送量を認識しながら写真フイルムの巻き上げ，巻き戻し，駒送り等の給送制御を行なうカメラが知られている。ここで、反射型フォトセンサに、写真フイルムの、パーフォレーションの窄設に起因するフイルムカス等のゴミが付着すると、その反射型フォトセンサを構成する投光素子からの投光光量が減少したり受光素子の受光光量が減少したりする。すると、反射型フォトセンサから出力されるパーフォレーション検出信号のレベルが変化して、パーフォレーションの検知不良が発生するという問題がある。この問題を解決するために、例えば、各種の写真フイルムに対応するパーフォレーション検出レベルの比較用基準値を収納する換算表（メモリ）と、写真フイルムが有る時及び無い時の反射型フォトセンサの出力より上記換算表を参照して最適なパーフォレーション検出レベルを決定する技術が提案されている（特許文献１参照）。
【０００３】
【特許文献１】
特開平７−２０９７０９号公報
【０００４】
【発明が解決しようとする課題】
一般に、パーフォレーションを検知する反射型フォトセンサは、写真フイルムに窄設されたパーフォレーションが通過するフイルムレールの凹部に配備される。ここで、写真フイルムの給送が繰り返し行なわれると、写真フイルムの、パーフォレーションの窄設に起因するフイルムカス等のゴミが上記凹部に多量に入り込む場合がある。すると、上述した特開平７−２０９７０９号公報に提案された技術を採用した場合であっても、反射型フォトセンサから出力されるパーフォレーション検出信号のレベルが変動して、パーフォレーションの検知不良が発生するという問題がある。
【０００５】
本発明は、上記事情に鑑み、パーフォレーションを確実に検知することができるカメラを提供することを目的とする。
【０００６】
【課題を解決するための手段】
上記目的を達成する本発明のカメラのうちの第１のカメラは、パーフォレーションが穿設されたロール状の写真フイルムが装填されそのパーフォレーションを検知することにより給送量を認識しながらその写真フイルムの給送を行ない、その写真フイルム上に写真撮影を行なうカメラにおいて、
上記写真フイルム給送時にパーフォレーションが通過する位置に設けられた凹部と、投光部および受光部のうちの少なくとも一方がその凹部内部に配備されそのパーフォレーションを検知するフォトセンサとを備え、
上記凹部が、上記写真フイルムとの接触部が面取りされるとともにその凹部の深部と比べ相対的に太径の浅部を有するものであることを特徴とする。
【０００７】
本発明の第１のカメラは、パーフォレーションを検知するフォトセンサを構成する投光部および受光部のうちの少なくとも一方が配備された凹部が、写真フイルムとの接触部が面取りされるとともにその凹部の深部と比べ相対的に太径の浅部を有するものであるため、凹部の縁（エッジ）に写真フイルムが当接して、その写真フイルムの、パーフォレーションの窄設に起因するフイルムカス等のゴミがその凹部に入り込むというような現象が防止される。従って、フォトセンサにフイルムカス等のゴミが付着することが防止されて、そのフォトセンサでパーフォレーションを確実に検知することができる。
【０００８】
また、上記目的を達成する本発明のカメラのうちの第２のカメラは、パーフォレーションが穿設されたロール状の写真フイルムが装填されそのパーフォレーションを検知することにより給送量を認識しながらその写真フイルムの給送を行ない、その写真フイルム上に写真撮影を行なうカメラにおいて、
上記写真フイルム給送時にパーフォレーションが通過する位置に設けられた凹部と、
投光部および受光部のうちの少なくとも一方がその凹部内部に配備されそのパーフォレーションを検知するフォトセンサと、
上記凹部を塞ぐとともに上記フォトセンサの光を透過する蓋とを備えたことを特徴とする。
【０００９】
尚、上記蓋としては、透明もしくは使用するフォトセンサの波長に影響を及ぼさない材料や色を使用することができる。
【００１０】
本発明の第２のカメラは、パーフォレーションを検知するフォトセンサを構成する投光部および受光部のうちの少なくとも一方が配備された凹部を塞ぐとともにそのフォトセンサの光を透過する蓋を備えたものであるため、フォトセンサの投光部からの投光光量や、受光部で受光される受光光量の減少を小さく抑えたまま、写真フイルムの、パーフォレーションの窄設に起因するフイルムカス等のゴミがその凹部に入り込むことが防止される。従って、フォトセンサでパーフォレーションを確実に検知することができる。
【００１１】
【発明の実施の形態】
以下、本発明の実施形態について説明する。
【００１２】
図１は、本発明の第１のカメラの一実施形態を前面斜め上から見た外観斜視図である。
【００１３】
このカメラ１は、パーフォレーションが窄設されたロール状の写真フイルムに写真撮影を行なうカメラであり、図１に示すカメラ１の前面中央部には、光学ズームレンズ１１ａを内部に備えたズーム鏡胴１１が備えられている。
【００１４】
また、このカメラ１の前面上部には、リモコン受信部を構成するリモコン受信窓１２と、オートフォーカス（ＡＦ）用の発光素子およびその発光素子から投光され被写体で反射して戻ってきた光を受光する受光素子が内蔵されたＡＦ窓１５が備えられている。
【００１５】
さらに、このカメラ１の前面上部には、セルフタイマ撮影時もしくはリモコン操作時に光を発するセルフタイマ／リモコンランプ１４と、ファインダ対物窓１３と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００１６】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。さらに、カメラ１の側面には、裏蓋開放つまみ１９が備えられている。
【００１７】
図２は、図１のカメラを背面から見た外観図である。
【００１８】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００１９】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００２０】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカスやマクロ等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２１】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２２】
図３は、図２に示すカメラの、裏蓋を取り外した状態の主要部を示す図である。
【００２３】
このカメラ１には、フイルム巻取室３１と、フイルム供給室３２と、アパーチャ３３と、そのアパーチャ３３の上縁，下縁に設けられて写真フイルムに窄設されたパーフォレーションが通過するフイルムレール３４，３５とが備えられている。
【００２４】
また、フイルムレール３５の、写真フイルム給送時にパーフォレーションが通過する位置（図３に示す円Ｐ内の位置）に、凹部３６が設けられている。
【００２５】
図４は、図３に示す円Ｐ内に設けられた凹部を拡大して示す図、図５は、図４に示す凹部の、ロール状の写真フイルムの一部を含むＡ―Ａ’断面を示す図である。
【００２６】
図４，図５に示す凹部３６は、写真フイルム１００との接触部が面取りされてなる浅部３６ａを有する。この浅部３６ａは、凹部３６の深部３６ｂと比べ相対的に太径に形成されている。また、凹部３６の底面には、写真フイルム１００に窄設されたパーフォレーション１００ａを検知する反射型フォトセンサ３７が配備されている。このように、パーフォレーション１００ａを検知する反射型フォトセンサ３７が配備された凹部３６が、写真フイルム１００との接触部が面取りされてその凹部３６の深部３６ｂと比べ相対的に太径の浅部３６ａを有するものであるため、凹部３６の縁に写真フイルム１００が当接して、その写真フイルム１００の、パーフォレーション１００ａの窄設に起因するフイルムカス等のゴミが凹部３６に入り込むことが防止される。
【００２７】
図６は、図５に示す凹部に配備された反射型フォトセンサから出力されるパーフォレーション検出信号を示す図である。
【００２８】
図６には、図５に示す凹部３６に配備された反射型フォトセンサ３７からのパーフォレーション検出信号ＰＤ１が示されている。ここで、ＶＴＨは、パーフォレーション検出信号ＰＤ１の、上限の判定レベルである‘Ｈ’レベルの閾値電圧を示す。またＶＴＬは、パーフォレーション検出信号ＰＤ１の、下限の判定レベルである‘Ｌ’レベルの閾値電圧を示す。上述したように、凹部３６は、パーフォレーション１００ａの窄設に起因するフイルムカス等のゴミが入り込まないような構造であるため、反射型フォトセンサ３７にフイルムカス等のゴミが付着することが防止される。従って、反射型フォトセンサ３７を構成する投光素子からの投光光量の減少や、受光素子で受光される受光光量の減少が抑えられ、写真フイルム１００の、パーフォレーション１００ａが窄設されていない部分１００ｂが通過するタイミングにおいては、反射型フォトセンサ３７を構成する投光素子から十分に大きな光量の光がその部分１００ｂに投光され反射されて、受光素子で受光される。受光素子では十分に大きな受光光量の光が受光される。従って、反射型フォトセンサ３７からのパーフォレーション検出信号ＰＤ１を構成する信号部分ＰＤ１Ｈのレベルは、上限の判定レベルである閾値電圧ＶＴＨを十分に上回ることとなり、図示しない判定回路でパーフォレーション検出信号ＰＤ１は確実に‘Ｈ’レベルであると判定される。
【００２９】
一方、写真フイルム１００に窄設されたパーフォレーション１００ａが通過するタイミングにおいては、反射型フォトセンサ３７を構成する投光素子からの光はパーフォレーション１００ａを通過するとともに、受光素子ではフイルムカス等のゴミによる受光光量の変動もなく、従って反射型フォトセンサ３７からのパーフォレーション検出信号ＰＤ１を構成する信号部分ＰＤ１Ｌのレベルは、下限の判定レベルである閾値電圧ＶＴＬを十分に下回ることとなり、図示しない判定回路でパーフォレーション検出信号ＰＤ１は確実に‘Ｌ’レベルであると判定される。
【００３０】
図７は、比較例としての凹部に配備された反射型フォトセンサからのパーフォレーション検出信号を示す図である。
【００３１】
比較例としての凹部（図示せず）は、写真フイルムとの接触部が面取りされておらず且つ凹部の深部と浅部は同じ径を有する。このため、その凹部の縁に写真フイルムが当接して、その写真フイルムの、パーフォレーションの窄設に起因するフイルムカス等のゴミがその凹部に入り込む。すると、反射型フォトセンサにフイルムカス等のゴミが付着し、反射型フォトセンサを構成する投光素子からの投光光量が減少したり、受光素子で受光される受光光量が減少したりする。従って、写真フイルムの、パーフォレーションが窄設されていない部分が通過するタイミングにおいては、図７に示すように、反射型フォトセンサからのパーフォレーション検出信号ＰＤ２を構成する信号部分ＰＤ２Ｈのレベルは、上限の判定レベルである閾値電圧ＶＴＨを下回ることとなる。一方、写真フイルムに窄設されたパーフォレーションが通過するタイミングにおいては、パーフォレーション検出信号ＰＤ２を構成する信号部分ＰＤ２Ｌのレベルは、下限の判定レベルである閾値電圧ＶＴＬを上回ることとなる。従って、パーフォレーションの検知不良が発生することとなる。
【００３２】
本発明の第１のカメラの一実施形態であるカメラ１は、パーフォレーション１００ａを検知する反射型フォトセンサ３７が配備された凹部３６が、写真フイルム１００との接触部が面取りされるとともにその凹部３６の深部３６ｂと比べ相対的に太径の浅部３６ａを有するものであるため、凹部３６の縁に写真フイルム１００が当接して、その写真フイルム１００の、パーフォレーション１００ａの窄設に起因するフイルムカス等のゴミが凹部３６に入り込むというような現象が防止される。ここで、凹部３６の浅部３６ａは、本体の成形時に同時に形成される。従って、コストアップを抑えたまま、反射型フォトセンサ３７にフイルムカス等のゴミが付着することが防止されて、その反射型フォトセンサ３７でパーフォレーション１００ａを確実に検知することができる。
【００３３】
次に、本発明の第２のカメラの一実施形態について説明する。尚、本発明の第２のカメラの一実施形態の外観図は、上述した本発明の第１のカメラの一実施形態であるカメラ１の外観図と同じであるため、図示省略し、異なる部分についてのみ説明する。
【００３４】
図８は、本発明の第２のカメラの一実施形態における凹部を示す図、図９は、図８に示す凹部の、ロール状の写真フイルムの一部を含むＢ―Ｂ’断面を示す図である。
【００３５】
本発明の第２のカメラの一実施形態では、フイルムレール１３５の、写真フイルム１００の給送時にパーフォレーション１００ａが通過する位置に、凹部１３６が設けられている。また、凹部１３６の底面にパーフォレーション１００ａを検知する反射型フォトセンサ１３７が配備されている。さらに、凹部１３６を塞ぐとともに反射型フォトセンサ１３７の光を透過する透明の蓋１３８が、フイルムレール１３５の表面から突出しない状態で備えられている。
【００３６】
本発明の第２のカメラの一実施形態は、パーフォレーション１００ａを検知する反射型フォトセンサ１３７が配備された凹部１３６を塞ぐとともにその反射型フォトセンサ１３７の光を透過する蓋１３８を備えたものであるため、反射型センサ１３７を構成する投光素子からの投光光量や受光素子の受光光量の減少を小さく抑えたまま、写真フイルム１００の、パーフォレーション１００ａの窄設に起因するフイルムカス等のゴミが凹部１３６に入り込むことが防止される。従って、反射型フォトセンサでパーフォレーション１００ａを確実に検知することができる。また、フイルムカス等のゴミが凹部１３６に入り込むことを防止するために、蓋１３８のみの部品を１点追加するだけで済むため、コストアップを小さく抑えることができる。
【００３７】
尚、本実施形態では、透明な蓋１３８の例で説明したが、これに限られるものではなく、使用する反射型フォトセンサの波長に影響を及ぼさない材料や色からなる蓋を使用することができ、本発明の第２のカメラにおける蓋は、凹部を塞ぐとともに反射型フォトセンサの光を透過するものであればよい。
【００３８】
また、上述した実施形態では、反射型フォトセンサの例で説明したが、本発明にいうフォトセンサは、透過型フォトセンサであってもよい。以下、透過型フォトセンサでパーフォレーションを検知する場合について説明する。
【００３９】
図１０は、カメラの裏蓋の内部構造を示す図、図１１は、図１０に示す裏蓋および透過型フォトセンサの断面図である。
【００４０】
裏蓋２０には、図１０に示すように、フイルム確認窓２６と、圧板２０１と、圧板２０１を保持する圧板ピン２０２と、写真フイルムを押さえるための押さえバネ２０３とが備えられている。圧板２０１には、穴２０１ａが設けられている。さらに、裏蓋２０には、図１１に示すように、裏蓋２０の内壁に固定されて圧板２０１をフイルムレール３５に弾性的に押し付ける圧板バネ２０４が備えられている。
【００４１】
透過型フォトセンサ２１０は、図１１に示すように、裏蓋２０の内壁に固定された投光素子２１１と、フイルムレール３５の凹部３６内部に配備された受光素子２１２から構成されている。凹部３６は、写真フイルム１００の給送時にパーフォレーション１００ａが通過する位置に設けられている。また、凹部３６を塞ぐとともに投光素子２１１からの光を透過する透明の蓋１３８が、フイルムレール３５の表面から突出しない状態で備えられている。投光素子２１１からの光は、圧板２０１に設けられた穴２０１ａ→写真フイルム１００のパーフォレーション１００ａ→透明の蓋１３８を通過して受光素子２１２で受光される。このように、透過型フォトセンサ２１０でパーフォレーション１００ａを検知してもよい。
【００４２】
図１２は、図１１に示す透過型フォトセンサとは異なる透過型フォトセンサを示す図である。
【００４３】
この透過型フォトセンサ２２０は、図１２（ｂ）に示すように、投光素子２２１と受光素子２２２が１つの筐体に組み込まれてなる一体型のフォトセンサであり、受光素子２２２側がフイルムレール３５の凹部３６内部に配備されている。また、凹部３６を塞ぐように投光素子２２１からの光を透過する透明の蓋１３８が、フイルムレール３５の表面から突出しない状態で備えられている。
【００４４】
図１２（ａ）に示すように、透過型フォトセンサ２２０を構成する投光素子２２１からの光は、圧板２０１に設けられた穴２０１ａ→写真フイルム１００のパーフォレーション１００ａ→透明の蓋１３８を通過して受光素子２２２で受光される。カメラに写真フイルムを装填するにあたり、その写真フイルムをプラスチックのフイルムケースから取り出した状態のままでカメラ底部に落とし込むだけで自動的に写真フイルムが装填される、いわゆるドロップインローディング機構を有するカメラの場合、このような投光素子２２１と受光素子２２２が１つの筐体に組み込まれてなる一体型の透過型フォトセンサ２２０でパーフォレーション１００ａを検知すると、前述した透過型フォトセンサ２１０と比較し、コストの低減化が図られる。尚、ここでは、透明の蓋１３８と透過型フォトセンサ２１０もしくは透過型フォトセンサ２２０の組み合わせの例で説明したが、前述した図４，図５に示す浅部３６ａを有する凹部３６と透過型フォトセンサ２１０もしくは透過型フォトセンサ２２０の組み合わせであってもよい。
【００４５】
【発明の効果】
以上説明したように、本発明のカメラによれば、パーフォレーションを確実に検知することができる。
【図面の簡単な説明】
【図１】本発明の第１のカメラの一実施形態を前面斜め上から見た外観斜視図である。
【図２】図１のカメラを背面から見た外観図である。
【図３】図２に示すカメラの、裏蓋を取り外した状態の主要部を示す図である。
【図４】図３に示す円Ｐ内に設けられた凹部を拡大して示す図である。
【図５】図４に示す凹部の、ロール状の写真フイルムの一部を含むＡ―Ａ’断面を示す図である。
【図６】図５に示す凹部に配備された反射型フォトセンサから出力されるパーフォレーション検出信号を示す図である。
【図７】比較例としての凹部に配備された反射型フォトセンサからのパーフォレーション検出信号を示す図である。
【図８】本発明の第２のカメラの一実施形態における凹部を示す図である。
【図９】図８に示す凹部の、ロール状の写真フイルムの一部を含むＢ―Ｂ’断面を示す図である。
【図１０】カメラの裏蓋の内部構造を示す図である。
【図１１】図１０に示す裏蓋および透過型フォトセンサの断面図である。
【図１２】図１１に示す透過型フォトセンサとは異なる透過型フォトセンサを示す図である。
【符号の説明】
１  カメラ
１１  ズーム鏡胴
１１ａ  光学ズームレンズ
１２  リモコン受信窓
１３  ファインダ対物窓
１４  セルフタイマ／リモコンランプ
１５  ＡＦ窓
１６  ＡＥ受光窓
１７  フラッシュ発光部
１８  シャッタボタン
１９  裏蓋開放つまみ
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
３１  フイルム巻取室
３２  フイルム供給室
３３  アパーチャ
３４，３５，１３５  フイルムレール
３６，１３６  凹部
３６ａ  浅部
３６ｂ  深部
３７，１３７  反射型フォトセンサ
１００  写真フイルム
１００ａ  パーフォレーション
１００ｂ  写真フイルムの、パーフォレーションが窄設されていない部分
１３８  蓋
２０１  圧板
２０１ａ  穴
２０２  圧板ピン
２０３  押さえバネ
２０４  圧板バネ
２１０，２２０  透過型フォトセンサ
２１１，２２１  投光素子
２１２，２２２  受光素子
【図１】
2004294830.tif 000003
【図２】
2004294830.tif 000004
【図３】
2004294830.tif 000005
【図４】
2004294830.tif 000006
【図５】
2004294830.tif 000007
【図６】
2004294830.tif 000008
【図７】
2004294830.tif 000009
【図８】
2004294830.tif 000010
【図９】
2004294830.tif 000011
【図１０】
2004294830.tif 000012
【図１１】
2004294830.tif 000013
【図１２】
2004294830.tif 000014